(57)【要約】【課題】  速度優先と解像度優先に応じて処理を変更することで、速度優先の場合は撮影サイクル時間を低下させず、解像度優先の場合は解像度の高い画像を表示可能とする。【解決手段】  分割して送信された画像を順次に合成する合成部と、  速度の優先モードか、解像度の優先モードかを選択する選択部と、  前記画像の全てを受信する前に画像拡大を指示された場合に、前記モード選択部で選択されたモードに応じて前記合成部での合成方法を変更する制御部と、  を有する。【選択図】  図１
2014000134.tif 000002
【特許請求の範囲】
【請求項１】
分割して送信された画像を順次に合成する合成部と、
速度の優先モードか、解像度の優先モードかを選択する選択部と、
前記画像の全てを受信する前に画像拡大を指示された場合に、前記モード選択部で選択されたモードに応じて前記合成部での合成方法を変更する制御部と、
を有することを特徴とするＸ線撮影装置。
【請求項２】
前記制御部は、
前記解像度の優先モードが選択された場合は、
前記画像合成部が合成した画像が前記指示された倍率での解像度を有さない場合は、
前記指示された倍率での解像度の合成ができるまで送信される画像を待ち、
前記速度の優先モードが選択された場合は、
前記画像合成部が合成した画像をデジタル拡大する制御を前記合成部にすることを特徴とする請求項１に記載のＸ線撮影装置。
【請求項３】
画像拡大を指示する指示部と、を更に有し、
前記制御部は、
前記解像度の優先モードが選択された場合は、
指示可能な倍率の画像が揃うまで、前記指示部からの画像拡大指示を禁止し、
前記速度の優先モードが選択された場合は、
前記指示部からの画像拡大指示を許可することを特徴とする請求項１に記載のＸ線撮影装置。
【請求項４】
前記選択部は、
撮影毎にモードを選択することを特徴とする特徴とする請求項１乃至３のいずれか一項に記載のＸ線撮影装置。
【請求項５】
前記選択部は、
システムの運用方法設定によって選択を切り替えることを特徴とする請求項１乃至３のいずれか一項に記載のＸ線撮影装置。
【請求項６】
前記選択部は、
撮影部位の情報で選択を切り替えることを特徴とする請求項１乃至３のいずれか一項に記載のＸ線撮影装置。
【請求項７】
前記合成部で合成された画像を表示する画像表示部と、を更に有することを特徴とする請求項１乃至６のいずれか一項に記載のＸ線撮影装置。
【請求項８】
分割して送信された画像を順次に合成する合成工程と、
速度の優先モードか、解像度の優先モードかを選択する選択工程と、
前記画像の全てを受信する前に画像拡大を指示された場合に、前記モード選択部で選択されたモードに応じて前記合成部での合成方法を変更する制御工程と、
を有することを特徴とするＸ線撮影方法。
【発明の詳細な説明】
【技術分野】
【０００１】
本発明は、分割通信したＸ線画像を表示する実施するＸ線撮影システムに関する。
【背景技術】
【０００２】
従来、病院で発生する患者の医用画像情報をデジタル化して保存・伝送することにより、検査の効率化・迅速化を図ろうとする気運が高まりつつある。このため、通常のＸ線撮影の分野においても、これまでのスクリーン／フィルム系に代わり、ＦＰＤ（Ｆｌａｔ  Ｐａｎｅｌ  Ｄｅｔｅｃｔｏｒ）などのＸ線検出器を利用したデジタルデータを出力するデジタルシステムが多く用いられるようになってきた。
【０００３】
また、デジタルシステムでは操作性、可搬性の向上のため通信に無線が使用されるケースがある。このような場合には、無線のデータレートも向上しているが有線系に比べると伝送レートは小さく、さらに画像の高解像度化が進んでいるため、撮影してから画像が表示される時間、つまり表示遅延が大きくなる傾向にある。また、専用回線を有しない病院では既存のネットワークを使用して画像データを通信する場合もある。このような場合にも通常使用する通信よりも伝送レートは小さくなる場合がある。
【０００４】
このような観点から、特許文献１では、高速化のためにサンプリングした縮小画像を事前に表示する方法が示されている。
【先行技術文献】
【特許文献】
【０００５】
【特許文献１】特開２００６−２６０８３号公報
【発明の概要】
【発明が解決しようとする課題】
【０００６】
しかしながら、サンプリングした縮小画像を受信した段階での拡大処理は、縮小画像サイズ以上の倍率での表示はデジタル処理での拡大が必要になる。そのため詳細な診断が必要な場合には適さない可能性がある。
【０００７】
一方、全ての画像が受信されるまで待っていては、次の撮影準備が遅くなり、撮影サイクル時間への影響が生じるという課題がある。
【課題を解決するための手段】
【０００８】
上記の課題を解決するため、この発明に関わるＸ線撮影装置は、
分割して送信された画像を受信して順次画像を合成する合成部と、
速度の優先モードか、解像度の優先モードかを選択する選択部と、
前記画像の全ての受信が終了する前に、前記画像拡大の指示がされた場合に前記選択されたモードに基づいて画像を拡大処理する画像拡大部と、
を有することを特徴とする。
【発明の効果】
【０００９】
本発明により、速度優先と解像度優先に応じて処理を変更することで、速度優先の場合は撮影サイクル時間を低下させず、解像度優先の場合は解像度の高い画像を表示可能となる。
【図面の簡単な説明】
【００１０】
【図１】Ｘ線撮影システムの構成図を示したものである。
【図２】本発明の実施形態処理の流れを示したものである。
【図３】本発明の実施形態処理の流れを示したものである。
【発明を実施するための形態】
【００１１】
［実施例１］
以下、図面を参照して本発明の一実施形態について説明する。
【００１２】
図１は本実施形態に係るＸ線撮影システムの構成を示すブロック図である。
【００１３】
Ｘ線撮影システムは、Ｘ線撮影された画像をＸ線撮影装置から分割して送信する画像分割送信部１０１を備える。そして、図示しない合成部１３０の一部を構成する画像分割受信部１０２と画像合成部１０３とを備える。画像分割受信部１０２は、送信された画像を受信し、画像合成部１０３は、画像分割受信部１０２が受信した画像を順次に画像を合成する処理をする。
【００１４】
１０４は、選択部としてのード選択部１０４であり、速度の優先モードか、解像度の優先モードかを選択する。
【００１５】
１０５は、画像の拡大を指示する指示部としての画像拡大指示部１０５である。そして、１０６は合成部１３０を構成する画像拡大部であり、合成した画像を拡大処理する機能を有する。１０７は、画像拡大部１０６にて拡大された画像を表示する画像表示部である。
【００１６】
Ｘ線撮影システムの各構成部の機能は制御部１４０としてのＣＰＵ（図示しない）で制御される。
【００１７】
モード選択部１０４で選択されるモードは撮影毎に、撮影部位などの撮影部位の情報から設定される。胸部等の静止画などは速度よりも細かな血管や気管支の観察が重要とされるので、解像度の優先モードが選択される。一方、カテーテル撮影等はカテーテルの位置が即時に確認される必要があるので速度の優先モードが選択される。これのモードは図示しない記憶部１５０に撮影部位の情報と関連づけて記憶されており、Ｘ線撮影装置から取得された撮影情報に応じてモードが選択される。このようにシステム全体の処理の中で設定さされる。また、モード選択部１０４は撮影者の指示により手動で、撮影毎に設定することもできる。
【００１８】
本実施形態の処理の例を図２の流れに従い説明する。
【００１９】
Ｘ線撮影が実施され、Ｘ線撮影装置の画像分割送信部１０１から画像が分割して送信され、画像分割受信部１０２で分割画像を受信する（Ｓ２０１）。例えば、画像サイズが２０４８ｘ２０４８の画像を４分割（５１２ｘ５１２を４回）で転送し、５１２ｘ５１２の表示エリアがあった例で説明する。
【００２０】
５１２ｘ５１２の４分割の分割画像の転送は同時並行に進んでいく。その転送の最中に、画像拡大指示部１０５によって、ある倍率での拡大指示が実施された場合、制御部１４０は、合成部１３０の処理方法を選択されたモードに従い変更した画像を拡大する（Ｓ２０２）。
【００２１】
画像拡大指示のあった倍率の解像度を既に合成部１３０で合成した合成画像が有している場合（Ｓ２０３）は、そのまま合成画像を用いて前記画像拡大部１０６で拡大処理を行い（Ｓ２０４）、画像表示部１０７でその画像を表示する（Ｓ２０５）。
【００２２】
画像拡大指示のあった倍率の解像度を合成画像が有していなかった場合（Ｓ２０３）で、
既に全ての画像を受信していたのであれば（Ｓ２０６）、合成画像を用いて前記画像拡大部１０６でデジタル拡大での拡大処理を行い（Ｓ２０４）、画像表示部１０７でその画像を表示する（Ｓ２０５）。
【００２３】
次の５１２ｘ５１２画像の受信後に、１．５倍の拡大指示があった場合は、画像拡大指示のあった倍率の解像度を有しているため、５１２ｘ５１２の２枚を合成して作成した１０２４ｘ１０２４の合成画像を用いて拡大処理を実施し、５１２ｘ５１２の１．５倍の画像７６８ｘ７６８の画像を作成し（Ｓ２０４）、画像表示を行う（Ｓ２０５）。
【００２４】
一方、まだ、全ての画像を受信していなかった場合は、モード選択部で速度の優先モードを選択していた場合（Ｓ２０７）は、現在の解像度の合成画像を用いて前記画像拡大部１０６でデジタル拡大での拡大処理を行い（Ｓ２０４）、画像表示部１０７でその画像を表示する（Ｓ２０５）。これにより、さらなる受信を待つことで撮影サイクル等の速度に影響を与えないようにできる。
【００２５】
モード選択部で解像度を優先させるモードを選択していた場合は、画像拡大指示のあった倍率の解像度を既に合成画像が有する（Ｓ２０３）か、全ての画像を受信する（Ｓ２０６）まで、残りの分割画像を受信（Ｓ２０８）する。例えば、解像度優先の場合、画像サイズが２０４８ｘ２０４８の画像を４分割（５１２ｘ５１２を４回）で転送し、５１２ｘ５１２の表示エリアがあったとする。初めの５１２ｘ５１２で表示は可能で、その時点で１．５倍の拡大指示があった場合は、画像拡大指示のあった倍率の解像度を有さないのでさらなる分割受信（Ｓ２０８）へ移行する。
【００２６】
このようなシーケンスにすることで、速度優先と解像度優先に応じて拡大処理を切り替え可能となり、速度優先の場合は撮影サイクル低下を低下させず、解像度優先の場合は解像度の高い画像を表示可能となる。
【００２７】
速度優先の場合、画像サイズが２０４８ｘ２０４８の画像を４分割（５１２ｘ５１２を４回）で転送し、５１２ｘ５１２の表示エリアがあったとする。初めの５１２ｘ５１２で表示は可能で、その時点で１．５倍の拡大指示があった場合は、速度優先なので、さらなる分割受信は実施せず、５１２ｘ５１２の１枚を合成して作成した５１２ｘ５１２の合成画像を用いて拡大処理を実施し、５１２ｘ５１２の１．５倍の画像７６８ｘ７６８の画像を作成し（Ｓ２０４）、画像表示を行う（Ｓ２０５）。つまりデジタル拡大になる。
【００２８】
［実施例２］
以下、本実施形態に係るＸ線撮影システムが、本発明を実施する流れを図３を用いて説明する。
【００２９】
Ｘ線撮影が実施され、画像分割送信部１０１から画像が分割して送信され、画像分割受信部１０２で分割画像を受信する（Ｓ３０１）。
【００３０】
モード選択部で速度を優先させるモードを選択していた場合（Ｓ３０２）は、でデジタル拡大での拡大処理を行う目的で、画像を拡大指示するための候補倍率を画像拡大指示部１０５は表示する（Ｓ３０３）。
【００３１】
モード選択部で解像度を優先させるモードを選択していた場合は、指示された画像拡大率まで画像を拡大しても指示された拡大率を有すると制御部１４０で判断する（Ｓ３０４）か、全ての画像を受信する（Ｓ３０５）まで、残りの分割画像を受信（Ｓ３０１）する。
【００３２】
画指示された画像拡大率まで画像を拡大しても指示可能な拡大率を有すると制御部１４０で判断する場合は、画像の拡大率及び解像度の候補を指示する候補倍率の画像拡大指示部を画像表示部１０７に表示することを許可する。
【００３３】
解像度を合成画像が有さないで全ての画像を受信した場合は、そもそも撮影した画像の解像度が倍率を超えるものであったので、デジタル拡大での拡大処理を行う目的で、画像拡大指示候補倍率の画像拡大指示部を表示する（Ｓ３０３）。また、デジタル拡大による拡大を禁止するため画像拡大指示を表示しないことを選択するようにしてもよい。
【００３４】
このようなシーケンスにすることで、速度優先と解像度優先に応じて画像拡大指示の表示方法を切り替え可能となり、速度優先の場合は撮影サイクル低下を低下させず、解像度優先の場合は解像度の高い画像を表示可能となる。
【００３５】
具体的な例で説明する。
【００３６】
画像拡大指示候補倍率が、２倍、４倍、８倍の３種類があり、画像サイズが２０４８ピクセルｘ２０４８ピクセルの画像を４分割（５１２ｘ５１２を４回）で転送し、５１２ｘ５１２の表示エリアがあったとする。
【００３７】
解像度優先の場合、初めの５１２ｘ５１２で表示は可能だが、拡大のための画像拡大指示候補倍率に解像度が足りないので、さらに５１２ｘ５１２を受信すると、１０２４ｘ１０２４の画像を有することになる。２倍以下の拡大が可能となるため、２倍という選択肢を有する拡大指示手段（拡大ボタン等）を表示する。さらに５１２ｘ５１２を２回受信し、全ての画像を受信したとすると、２０４８ｘ２０４８の画像を有することになり、４倍以下の拡大が可能となるため、２倍、４倍という選択肢を有する拡大指示手段（拡大ボタン等）を表示する。８倍については、そもそも撮影画像が解像度に到達しないため、デジタル拡大目的の拡大指示手段（拡大ボタン等）を表示する。
【００３８】
速度優先の場合は、さらなる分割画像の受信を実施しないため、画像拡大指示手段の表示に即座に移行する。なお、分割受信中に上記拡大指示手段が実施された場合、内部に有する最新の合成画像を用いて拡大が実施されても、現在表示されている画像で拡大が実施されてもどちらでもよい。
【００３９】
例えば、最新の合成画像を用いて拡大が実施される場合は、５１２ｘ５１２を２回受信した状態で４倍の拡大指示があった場合は、合成画像１０２４ｘ１０２４をデジタル拡大して２０４８ｘ２０４８の画像を作成し、画像表示する。現在表示されている画像で拡大が実施される場合は、上記では、現在の表示画像５１２ｘ５１２をデジタル拡大して２０４８ｘ２０４８の画像を作成し、画像表示する。
【００４０】
このように、現在表示されている画像で拡大が実施される場合は、常に表示画像のデジタル拡大で拡大が実施されるため、解像度を上昇する手段がない。そのため、別途解像度を上昇させる手段を設けることも考えられる。
【００４１】
例えば上記例では、現在の表示画像５１２ｘ５１２をデジタル拡大して２０４８ｘ２０４８の画像を作成し、画像表示していたが、解像度上昇指示を実施することによって、既に５１２ｘ５１２を２回受信した状態であれば、合成画像１０２４ｘ１０２４をデジタル拡大して２０４８ｘ２０４８の画像を作成し、画像表示するといったことも可能である。
【００４２】
［実施例３］
また、実施例１、２で説明したモード選択をシステムの運用方法設定によって選択を切り替えることも考えられる。
【００４３】
例えば、検診運用設定の場合は、撮影サイクルタイムの速さが要求されるため、速度優先とし、一般病院運用設定の場合は、精細な画質が要求されるため、解像度優先にする等である。
【符号の説明】
【００４４】
１０１  画像分割送信部
１０２  画像分割受信部
１０３  画像合成部
１０４  選択部としてのモード選択部
１０５  画像拡大指示部
１０６  画像拡大部
１０７  画像表示部
１３０  合成部
１４０  制御部
【図１】
2014000134.tif 000003
【図２】
2014000134.tif 000004
【図３】
2014000134.tif 000005